(57)【要約】【課題】画面の短軸方向に平行な走査線を形成する短軸偏向方式において短軸方向に映像を容易に伸張および圧縮して表示することができるとともに低コスト化が可能な映像信号処理装置および映像信号処理方法を提供することである。【解決手段】字幕挿入モード時には、読み出しクロック信号ＲＣＫ２の周波数の低減により映像の伸張が行われ、画素間引き処理により映像の圧縮が行われる。読み出しアドレス操作回路１５ａは、読み出しリセットパルス信号ＲＲＳに応答してリセットされ、読み出しクロック信号ＲＣＫ２に同期して読み出し用アドレス信号ＲＡＤをメモリ１２に順次与える。この読み出しアドレス操作回路１５ａは、モード切替信号ＫＴに基づいて、通常モード時にはアドレス信号ＲＡＤの値を連続的に変化させ、字幕挿入モード時には画素間引き処理が行われるようにアドレス信号ＲＡＤを間欠的に変化させる。【選択図】        図５
2004279848.tif 000002
【特許請求の範囲】
【請求項１】
映像信号に基づいて長方形の画面上に短軸方向の偏向により映像を表示する短軸偏向方式に従って画面上に映像を表示するとともに映像を短軸方向に伸張および圧縮するための映像信号処理装置であって、
短軸偏向方式において短軸方向走査周期を規定する第１の同期信号および長軸方向走査周期を規定する第２の同期信号を発生する同期信号発生手段と、
前記同期信号発生手段により発生される第１の同期信号に応答して、電子ビームを短軸方向に偏向するための第１の偏向電流を発生する第１の偏向手段と、
前記同期信号発生手段により発生される第２の同期信号に応答して、電子ビームを長軸方向に偏向するための第２の偏向電流を発生する第２の偏向手段と、
映像信号を記憶するための記憶手段と、
前記記憶手段に記憶された映像信号を読み出すための読み出しクロック信号を発生する読み出しクロック発生手段と、
前記読み出しクロック発生回路により発生される読み出しクロック信号に応答して前記記憶手段から短軸偏向方式に従う映像信号を読み出す読み出し手段と、
画面上に表示される映像を短軸方向に伸張する映像伸張手段とを備え、
前記読み出し手段は、画面上に表示される映像が短軸方向に圧縮されるように前記記憶手段から１以上の画素に対応する映像信号を飛ばして読み出すことにより画面上で短軸方向に表示される画素の数を減少させることを特徴とする映像信号処理装置。
【請求項２】
画面上に表示される映像が短縮方向に圧縮されるように前記記憶手段から読み出される映像信号に基づく補間処理を行うことにより画面上で短軸方向に表示される画素の数を減少させる補間手段をさらに備えたことを特徴とする請求項１記載の映像信号処理装置。
【請求項３】
映像信号に基づいて長方形の画面上に短軸方向の偏向により映像を表示する短軸偏向方式に従って画面上に映像を表示するとともに映像を短軸方向に伸張および圧縮するための映像信号処理装置であって、
短軸偏向方式において短軸方向走査周期を規定する第１の同期信号および長軸方向走査周期を規定する第２の同期信号を発生する同期信号発生手段と、
前記同期信号発生手段により発生される第１の同期信号に応答して、電子ビームを短軸方向に偏向するための第１の偏向電流を発生する第１の偏向手段と、
前記同期信号発生手段により発生される第２の同期信号に応答して、電子ビームを長軸方向に偏向するための第２の偏向電流を発生する第２の偏向手段と、
映像信号を記憶するための記憶手段と、
前記記憶手段に記憶された映像信号を読み出すための読み出しクロック信号を発生する読み出しクロック発生手段と、
前記読み出しクロック発生回路により発生される読み出しクロック信号に応答して前記記憶手段から短軸偏向方式に従う映像信号を読み出す読み出し手段と、
画面上に表示される映像を短軸方向に伸張する映像伸張手段と、
画面上に表示される映像が短軸方向に圧縮されるように前記記憶手段から読み出される映像信号に基づく補間処理を行うことにより画面上で短軸方向に表示される画素の数を減少させる補間手段とを備えたことを特徴とする映像信号処理装置。
【請求項４】
前記映像伸張手段は、前記読み出しクロック発生手段により発生される読み出しクロックの周波数を減少させる読み出しクロック変更手段を含むことを特徴とする請求項１〜３のいずれかに記載の映像信号処理装置。
【請求項５】
画面上で伸張および圧縮される映像が画面上の所定位置に表示されるように前記同期信号発生手段から前記第１の偏向手段に与えられる第１の同期信号の位相をシフトさせる位相シフト手段をさらに備えたことを特徴とする請求項４記載の映像信号処理装置。
【請求項６】
前記映像伸張手段は、前記第１の偏向手段により発生される第１の偏向電流の振幅を増加させる振幅変更手段をさらに備えたことを特徴とする請求項１〜５のいずれかに記載の映像信号処理装置。
【請求項７】
画面上で伸張される映像はレターボックス形式の映像を含むことを特徴とする請求項１〜６のいずれかに記載の映像信号処理装置。
【請求項８】
画面上で圧縮される映像は字幕を含むことを特徴とする請求項１〜７のいずれかに記載の映像信号処理装置。
【請求項９】
映像信号に基づいて長方形の画面上に短軸方向の偏向により映像を表示する短軸偏向方式に従って画面上に映像を表示するとともに映像を短軸方向に伸張および圧縮するための映像信号処理方法であって、
短軸偏向方式において短軸方向走査周期を規定する第１の同期信号および長軸方向走査周期を規定する第２の同期信号を発生するステップと、
前記発生される第１の同期信号に応答して、電子ビームを短軸方向に偏向するための第１の偏向電流を発生するステップと、
前記発生される第２の同期信号に応答して、電子ビームを長軸方向に偏向するための第２の偏向電流を発生するステップと、
映像信号を記憶手段に記憶するステップと、
前記記憶手段に記憶された映像信号を読み出すための読み出しクロック信号を発生するステップと、
前記発生される読み出しクロック信号に応答して前記記憶手段から短軸偏向方式に従う映像信号を読み出すステップと、
画面上に表示される映像を短軸方向に伸張するステップとを備え、
前記読み出すステップは、画面上に表示される映像が短軸方向に圧縮されるように前記記憶手段から１以上の画素に対応する映像信号を飛ばして読み出すことにより画面上で短軸方向に表示される画素の数を減少させることを特徴とする映像信号処理方法。
【請求項１０】
画面上に表示される映像が短縮方向に圧縮されるように前記記憶手段から読み出される映像信号に基づく補間処理を行うことにより画面上で短軸方向に表示される画素の数を減少させるステップをさらに備えたことを特徴とする請求項９記載の映像信号処理方法。
【請求項１１】
映像信号に基づいて長方形の画面上に短軸方向の偏向により映像を表示する短軸偏向方式に従って画面上に映像を表示するとともに映像を短軸方向に伸張および圧縮するための映像信号処理方法であって、
短軸偏向方式において短軸方向走査周期を規定する第１の同期信号および長軸方向走査周期を規定する第２の同期信号を発生するステップと、
前記発生される第１の同期信号に応答して、電子ビームを短軸方向に偏向するための第１の偏向電流を発生するステップと、
前記発生される第２の同期信号に応答して、電子ビームを長軸方向に偏向するための第２の偏向電流を発生するステップと、
映像信号を記憶手段に記憶するステップと、
前記記憶手段に記憶された映像信号を読み出すための読み出しクロック信号を発生するステップと、
前記発生される読み出しクロック信号に応答して前記記憶手段から短軸偏向方式に従う映像信号を読み出すステップと、
画面上に表示される映像を短軸方向に伸張するステップと、
画面上に表示される映像が短軸方向に圧縮されるように前記記憶手段から読み出される映像信号に基づく補間処理を行うことにより画面上で短軸方向に表示される画素の数を減少させるステップとを備えたことを特徴とする映像信号処理方法。
【発明の詳細な説明】
【０００１】
【発明の属する技術分野】
本発明は、電子ビームを画面の短軸方向に偏向させることにより画面上に短軸方向の走査線を形成するための映像信号処理装置および映像信号処理方法に関する。
【０００２】
【従来の技術】
通常のテレビジョン装置では、電子ビームを水平方向に偏向させることにより画面上に水平方向の走査線を形成している。しかし、近年、ＨＤＴＶ（高品位テレビジョン）装置のように大画面化に伴って電子ビームの偏向角度が増大している。その結果、特に画面が横方向に大きくなると電子ビームの偏向角度がさらに増大し、電子ビームのスポットの形状が画面の左端部および右端部で著しく偏平するという問題が生じる。
【０００３】
電子ビームを画面の短軸方向（短辺方向）に偏向させることにより、画面上に短軸方向の走査線を形成する画像表示装置が提案されている（特許文献１参照）。
【０００４】
なお、以下においては、画面が横長であるものとして説明を行う。したがって、画面の短軸方向は縦方向であり、長軸方向は横方向である。
長方形の画面の短軸方向と平行に電子ビームを偏向することにより短軸方向に平行な走査線を形成する方式を縦偏向方式と呼び、長方形の画面の長軸方向（長辺）に平行に電子ビームを偏向することにより長軸方向に平行な走査線を形成する方式を従来の横偏向方式と呼ぶ。
【０００５】
図２１（ａ）は横偏向方式による走査線の形成を説明するための模式図であり、図２１（ｂ）は縦偏向方式による走査線の形成を説明するための模式図である。
【０００６】
横偏向方式では、図２１（ａ）に示すように、横長の画面５００の左端より右端へ長軸と平行な走査線が形成される。また、図２１（ｂ）に示すように、縦偏向方式では、横長の画面５００の上端より下端へ短軸と平行な走査線が形成される。
【０００７】
このように、縦偏向方式では、横偏向方式に比べて画面上での走査距離が短いため、電子ビームの偏向角度も小さくなる。
【０００８】
次に、図２２（ａ）は横偏向方式による電子ビームのスポットの形状を示す模式図であり、図２２（ｂ）は縦偏向方式による電子ビームのスポットの形状を示す模式図である。
【０００９】
図２２（ａ），（ｂ）においては、画面の中央部における電子ビームのスポット５０１、画面の中央上端部における電子ビームのスポット５０２、画面の右上端部における電子ビームのスポット５０３および画面の中央右端部における電子ビームのスポット５０４が示される。以下、画面の中央上端部、画面の右上端部および画面の中央右端部を合わせて画面の周辺部と呼ぶ。
【００１０】
図２２（ａ），（ｂ）に示すように、画面の中央部における電子ビームのスポット５０１はほぼ円形となっているが、画面の周辺部における電子ビームのスポット５０２，５０３，５０４は偏平して楕円形となっている。
【００１１】
縦偏向方式では、横偏向方式と比較して電子ビームの偏向角度が小さいため、画面の周辺部での電子ビームのスポット５０２，５０３，５０４の変形量が小さい。したがって、スポット径を縮小し、解像度を向上させることができる。また、電子ビームの偏向角度が小さいため、電子銃に印加するダイナミックフォーカス電圧を低減することができる。その結果、消費電力を低減することができる。
【００１２】
図２３は横偏向方式で用いられる水平偏向回路の構成を示す回路図、図２４は横偏向方式で用いられる垂直偏向回路の構成を示す回路図である。また、図２５は横偏向方式における同期信号および偏向電流を示す波形図である。
【００１３】
図２５（ａ）は水平同期信号Ｈ１を示し、図２５（ｂ）は水平偏向電流ＩＨ１を示し、図２５（ｃ）は垂直同期信号Ｖ１を示し、図２５（ｄ）は垂直偏向電流ＩＶ１を示す。
【００１４】
水平同期信号Ｈ１の周期を水平走査周期Ｈとし、垂直同期信号Ｖ１の周期を垂直走査周期Ｖとする。図２３の水平偏向回路により水平同期信号Ｈ１に同期する水平偏向電流ＩＨ１が生成される。また、図２４の垂直偏向回路により垂直同期信号Ｖ１に同期する垂直偏向電流ＩＶ１が生成される。
【００１５】
図２３の水平偏向回路は、入力端子１０１、水平出力トランジスタ１０２、電源端子１０３、チョークコイル１０４、ダンパーダイオード１０５、共振容量１０６、水平偏向ヨーク１０７およびＳ字補正容量１０８を含む。
【００１６】
水平偏向回路において、図２５（ａ）の水平同期信号Ｈ１に同期する水平パルス信号が入力端子１０１を介して水平出力トランジスタ１０２のベースに印加される。それにより、水平出力トランジスタ１０２は、水平パルス信号に応答してスイッチング動作を行う。水平出力トランジスタ１０２のスイッチング動作とダンパーダイオード１０５および共振容量１０６の働きとにより、図２５（ｂ）に示す鋸歯状の水平偏向電流ＩＨ１が水平偏向ヨーク１０７に供給される。それにより、水平偏向ヨーク１０７から鋸歯状の水平偏向磁界が発生され、電子ビームが水平方向に偏向される。図２３の水平偏向回路をスイッチング方式の偏向回路と呼ぶ。
【００１７】
図２４の垂直偏向回路は、垂直鋸歯状波形発生回路１１１、増幅回路１１２、帰還回路１１３、垂直偏向ヨーク１１４および抵抗１１５を含む。
【００１８】
垂直偏向回路において、垂直鋸歯状波発生回路１１１は図２５（ｃ）に示す垂直同期信号Ｖ１および図２５（ａ）に示す水平同期信号Ｈ１に同期して垂直走査周期Ｖを有する鋸歯状波形電圧を発生し、増幅回路１１２の一方の入力端子に与える。増幅回路１１２は、鋸歯状波形電圧に基づいて図２５（ｄ）に示す垂直偏向電流ＩＶ１を垂直偏向ヨーク１１４に供給する。垂直偏向ヨーク１１４と抵抗１１５との接続点の電圧は、増幅回路１１２の他方の入力端子に帰還される。それにより、垂直偏向ヨーク１１４から鋸歯状の垂直偏向磁界が発生され、電子ビームを垂直方向に偏向される。図２４の垂直偏向回路をアンプ方式の偏向回路と呼ぶ。
【００１９】
このように、横偏向方式では、水平同期信号Ｈ１に同期する水平偏向電流ＩＨ１の周波数（水平走査周波数）は、垂直同期信号Ｖ２に同期する垂直偏向電流ＩＶ１の周波数（垂直走査周波数）に比べて高い。そのため、水平偏向電流ＩＨ１を生成するための水平偏向回路には、図２３に示したスイッチング方式の偏向回路が用いられ、垂直偏向電流ＩＶ１を生成するための垂直偏向回路には、図２４に示したアンプ方式の偏向回路が用いられる。
【００２０】
一方、縦偏向方式では、逆に、垂直走査周波数が水平走査周波数に比べて高くなる。したがって、垂直偏向電流を生成するためにスイッチング方式の偏向回路が用いられ、水平偏向電流を生成するためにアンプ方式の偏向回路が用いられる。
【００２１】
ところで、従来のテレビジョン受像機の画面は４：３のアスペクト比を有する。しかし、近年では、ＨＤＴＶ（Ｈｉｇｈ  Ｄｅｆｉｎｉｔｉｏｎ  Ｔｅｌｅｖｉｓｉｏｎ：高品位テレビジョン）受像機のように、アスペクト比が１６：９の画面を有するテレビジョン受像機が登場している。
【００２２】
このように、アスペクト比４：３の画面にアスペクト比１６：９の画面用の映像信号を表示させる場合、映像が上下に伸張される。そこで、アスペクト比１６：９の画面用の映像信号を縦横の比率を保ちつつアスペクト比４：３の画面に表示させる方法として、レターボックス形式の表示方法がある。
【００２３】
図２６はレターボックス形式の映像信号を用いた表示方法を説明するための図である。図２６の（ａ１）はレターボックス形式の映像を画面に表示した場合を示し、（ａ２）は（ａ１）のレターボックス形式の映像を表示する場合の垂直偏向電流を示し、（ａ３）は（ａ１）のレターボックス形式の映像を表示する場合の映像信号および字幕信号を示す。図２６の（ｂ１）はレターボックス形式の映像をズーム処理により画面全体に表示した場合を示し、（ｂ２）は（ｂ１）のズーム処理を行うための垂直偏向電流を示し、（ｂ３）は（ｂ３）のズーム処理による映像信号および字幕信号を示す。
【００２４】
図２６（ａ２）の垂直偏向電流が電流値Ｉｕｐのときに画面５００の上端が走査され、垂直偏向電流が電流値Ｉｄｏｗｎのときに画面５００の下端が走査される。（ａ１）に示すように、レターボックス形式の表示方法では、画面５００の中央部に（ａ３）の映像信号αＳ１による映像が表示される映像領域α１が形成され、画面５００の上部と下部とに映像が表示されない領域（以下、空白領域と呼ぶ。）が形成される。また、画面５００の下部の空白領域には、（ａ３）の字幕信号βＳ１による字幕が表示される字幕領域β１が形成される。
【００２５】
字幕領域β１を有するレターボックス形式の映像を画面５００の全体に表示する場合に、映像領域α１の全体を上下に伸張すると、字幕領域β１が画面５００からはみ出てしまう。そこで、映像領域α１の前半部分を伸張するとともに、映像領域α１の後半部分および字幕領域β１を圧縮するズーム処理を行う。
【００２６】
ズーム処理の際には、図２６（ｂ２）に示すように、垂直偏向電流の前半部分の振幅を増加させ、垂直偏向電流の最後の部分の振幅を減少させる。それにより、（ｂ１）に示すように、（ｂ３）の映像信号αＳ１による映像領域α１が画面５００上で伸張され、映像領域α１の上端が画面５００の上端に一致する。また、画面５００の下部の空白領域が圧縮され、（ｂ３）の字幕信号βＳ１による字幕領域β１の下端が画面５００の下端に一致する。
【００２７】
垂直偏向電流を図２６（ｂ２）に示すように変形するためには、図２４のアンプ方式の偏向回路の垂直鋸歯状波形発生回路１１１において変形した鋸歯状波形信号を発生する。
【００２８】
このようにして、ズーム処理により映像領域α１が伸張されるとともに、画面５００の下部に字幕領域β１が挿入される。
【００２９】
また、レターボックス形式の映像を画面全体に表示する際に画面の下部に字幕を挿入する他の方法として画素補間を用いた方法がある。
【００３０】
画素補間を用いた方法では、映像領域の後半部分および字幕領域を形成するための走査線の数を画素補間により減少させる。それにより、映像領域の後半部分および字幕領域が画面上で圧縮されて表示される。
【００３１】
図２７は画素補間を用いた字幕挿入回路の一例を示すブロック図である。
図２７の字幕挿入回路は、複数のラインメモリ１５１，１５２、複数の乗算器１６１，１６２，１６３、補間係数発生回路１７０および加算器１８０を備える。
【００３２】
図２７の例では、ラインメモリ１５１に第ｎ−１番目の走査線の映像信号ｖ１が入力され、ラインメモリ１５１から第ｎ番目の走査線の映像信号ｖ２が出力され、ラインメモリ１５２から第ｎ＋１番目の走査線の映像信号ｖ３が出力される。補間係数発生回路１７０からは、複数の補間係数Ｋ１，Ｋ２，Ｋ３が発生される。乗算器１６１は、第ｎ−１番目の走査線の映像信号ｖ１と補間係数Ｋ１とを乗算し、乗算結果を加算器１８０に与える。乗算器１６２は、第ｎ番目の走査線の映像信号ｖ２と補間係数Ｋ２とを乗算し、乗算結果を加算器１８０に与える。乗算器１６３は、第ｎ＋１番目の走査線の映像信号ｖ３と補間係数Ｋ３とを乗算し、乗算結果を加算器１８０に与える。
【００３３】
加算器１８０は、複数の乗算器１６１〜１６３から与えられる乗算結果を加算する。これにより、複数の走査線の映像信号ｖ１〜ｖ３から新たな１つの走査線の映像信号ｖ０を生成することができる。その結果、映像領域の後半部分および字幕領域を形成するための走査線の数を減少させ、映像領域の後半部分および字幕領域を画面上で圧縮することができる。
【００３４】
この画素補間による方法では、複数の走査線の映像信号を用いて新たな走査線の映像信号が生成されるので、走査線の数を減少させることによる画質の劣化が少ない。
【００３５】
【特許文献１】
特許第２９１６４７８号公報
【００３６】
【発明が解決しようとする課題】
しかしながら、図２６に示した垂直偏向電流の変形によるズーム処理は、縦偏向方式に適用することは困難である。
【００３７】
縦偏向方式では、垂直走査周波数が高いため、垂直偏向電流を図２４のアンプ方式の偏向回路により生成することは困難である。そのため、垂直偏向電流を図２３のスイッチング方式の偏向回路により生成しなければならない。しかし、スイッチング方式の偏向回路では、パルス信号に同期した共振動作により鋸歯状の垂直偏向電流が生成されるので、生成される鋸歯状の垂直偏向電流を変形させることは困難である。したがって、縦偏向方式には、垂直偏向電流の変形によるズーム処理を適用することは困難である。
【００３８】
一方、画素補間による字幕挿入では、図２７に示したように、複数のラインメモリが必要となり、低コスト化が図れない。
【００３９】
本発明の目的は、画面の短軸方向に平行な走査線を形成する短軸偏向方式において短軸方向に映像を容易に伸張および圧縮して表示することができるとともに低コスト化が可能な映像信号処理装置および映像信号処理方法を提供することである。
【００４０】
【課題を解決するための手段】
（第１の発明）
本発明に係る映像信号処理装置は、映像信号に基づいて長方形の画面上に短軸方向の偏向により映像を表示する短軸偏向方式に従って画面上に映像を表示するとともに映像を短軸方向に伸張および圧縮するための映像信号処理装置であって、短軸偏向方式において短軸方向走査周期を規定する第１の同期信号および長軸方向走査周期を規定する第２の同期信号を発生する同期信号発生手段と、同期信号発生手段により発生される第１の同期信号に応答して、電子ビームを短軸方向に偏向するための第１の偏向電流を発生する第１の偏向手段と、同期信号発生手段により発生される第２の同期信号に応答して、電子ビームを長軸方向に偏向するための第２の偏向電流を発生する第２の偏向手段と、映像信号を記憶するための記憶手段と、記憶手段に記憶された映像信号を読み出すための読み出しクロック信号を発生する読み出しクロック発生手段と、読み出しクロック発生回路により発生される読み出しクロック信号に応答して記憶手段から短軸偏向方式に従う映像信号を読み出す読み出し手段と、画面上に表示される映像を短軸方向に伸張する映像伸張手段とを備え、読み出し手段は、画面上に表示される映像が短軸方向に圧縮されるように記憶手段から１以上の画素に対応する映像信号を飛ばして読み出すことにより画面上で短軸方向に表示される画素の数を減少させるものである。
【００４１】
本発明に係る映像信号処理装置においては、短軸偏向方式において短軸方向走査周期を規定する第１の同期信号および長軸方向走査周期を規定する第２の同期信号が同期信号発生手段により発生される。第１の偏向手段により第１の同期信号に応答して電子ビームを短軸方向に偏向するための第１の偏向電流が発生される。第２の偏向手段により第２の同期信号に応答して電子ビームを長軸方向に偏向するための第２の偏向電流が発生される。また、記憶手段に映像信号が記憶される。読み出しクロック発生回路により発生される読み出しクロック信号に応答して記憶手段から短軸偏向方式に従う映像信号が読み出し手段により読み出される。
【００４２】
映像伸張手段により画面上に表示される映像が短軸方向に伸張される。また、読み出し手段により記憶手段から１以上の画素に対応する映像信号が飛ばされて読み出される。それにより、画面上で短軸方向に表示される画素の数が減少し、画面上に表示される映像が短軸方向に圧縮される。
【００４３】
このように、偏向系における第１の偏向電流の波形を変形させることなく画面上で映像を短軸方向に容易に伸張および圧縮することができる。
【００４４】
また、画面上で映像を圧縮するためにラインメモリを用いる必要がないので、回路構成が複雑化せず、低コスト化が妨げられない。
【００４５】
（第２の発明）
第２の発明に係る映像信号処理装置は、第１の発明に係る映像信号処理装置の構成において、画面上に表示される映像が短縮方向に圧縮されるように前記記憶手段から読み出される映像信号に基づく補間処理を行うことにより画面上で短軸方向に表示される画素の数を減少させる補間手段をさらに備えたものである。
【００４６】
この場合、また、画素間引き処理により得られた複数の画素データを用いて画素補間処理により新たな画素データが生成されるので、画素データの数を減少させることによる画質の劣化が少ない。
【００４７】
特に、画素間引き処理および画素補間処理を組み合わせることにより、補間手段の構成を簡単にすることができる。それにより、低コストが図られる。
【００４８】
（第３の発明）
第３の発明に係る映像信号処理装置は、映像信号に基づいて長方形の画面上に短軸方向の偏向により映像を表示する短軸偏向方式に従って画面上に映像を表示するとともに映像を短軸方向に伸張および圧縮するための映像信号処理装置であって、短軸偏向方式において短軸方向走査周期を規定する第１の同期信号および長軸方向走査周期を規定する第２の同期信号を発生する同期信号発生手段と、同期信号発生手段により発生される第１の同期信号に応答して、電子ビームを短軸方向に偏向するための第１の偏向電流を発生する第１の偏向手段と、同期信号発生手段により発生される第２の同期信号に応答して、電子ビームを長軸方向に偏向するための第２の偏向電流を発生する第２の偏向手段と、映像信号を記憶するための記憶手段と、記憶手段に記憶された映像信号を読み出すための読み出しクロック信号を発生する読み出しクロック発生手段と、読み出しクロック発生回路により発生される読み出しクロック信号に応答して記憶手段から短軸偏向方式に従う映像信号を読み出す読み出し手段と、画面上に表示される映像を短軸方向に伸張する映像伸張手段と、画面上に表示される映像が短軸方向に圧縮されるように記憶手段から読み出される映像信号に基づく補間処理を行うことにより画面上で短軸方向に表示される画素の数を減少させる補間手段とを備えたものである。
【００４９】
本発明に係る映像信号処理装置においては、短軸偏向方式において短軸方向走査周期を規定する第１の同期信号および長軸方向走査周期を規定する第２の同期信号が同期信号発生手段により発生される。第１の偏向手段により第１の同期信号に応答して電子ビームを短軸方向に偏向するための第１の偏向電流が発生される。第２の偏向手段により第２の同期信号に応答して電子ビームを長軸方向に偏向するための第２の偏向電流が発生される。また、記憶手段に映像信号が記憶される。読み出しクロック発生回路により発生される読み出しクロック信号に応答して記憶手段から短軸偏向方式に従う映像信号が読み出し手段により読み出される。
【００５０】
映像伸張手段により画面上に表示される映像が短軸方向に伸張される。また、記憶手段から読み出される映像信号に基づく補間処理が補間手段により行われる。それにより、画面上で短軸方向に表示される画素の数が減少し、画面上に表示される映像が短軸方向に圧縮される。
【００５１】
このように、偏向系における第１の偏向電流の波形を変形させることなく画面上で映像を短軸方向に容易に伸張および圧縮することができる。
【００５２】
また、画面上で映像を圧縮するためにラインメモリを用いる必要がないので、回路構成が複雑化せず、低コスト化が妨げられない。
【００５３】
（第４の発明）
第４の発明に係る映像信号処理装置は、第１〜第３のいずれかの発明に係る映像信号処理装置の構成において、映像伸張手段は、読み出しクロック発生手段により発生される読み出しクロックの周波数を減少させる読み出しクロック変更手段を含むものである。
【００５４】
この場合、この場合、画素補間処理により複数の画素データを用いて新たな画素データが生成されるので、画素データの数を減少させることによる画質の劣化が少ない。
【００５５】
また、補間手段は、ラッチ回路により構成することができるので、複数のラインメモリを用いる場合と異なって低コスト化を図ることができる。
【００５６】
（第５の発明）
第５の発明に係る映像信号処理装置は、第４の発明に係る映像信号処理装置の構成において、画面上で伸張および圧縮される映像が画面上の所定位置に表示されるように同期信号発生手段から第１の偏向手段に与えられる第１の同期信号の位相をシフトさせる位相シフト手段をさらに備えたものである。
【００５７】
この場合、画面上で伸張および圧縮された映像を画面上の所定位置に表示することができる。
【００５８】
（第６の発明）
第６の発明に係る映像信号処理装置は、第５の発明に係る映像信号処理装置の構成において、映像伸張手段は、第１の偏向手段により発生される第１の偏向電流の振幅を増加させる振幅変更手段をさらに備えたものである。
【００５９】
この場合、第１の偏向電流の振幅を増加させることにより画面上に表示される映像を容易に伸張することができる。
【００６０】
（第７の発明）
第７の発明に係る映像信号処理装置は、第１〜第６のいずれかの発明に係る映像信号処理装置の構成において、画面上で伸張される映像はレターボックス形式の映像を含むものである。
【００６１】
この場合、レターボックス形式の映像の上部における無映像の領域にレターボックス形式の映像を伸張させることができる。
【００６２】
（第８の発明）
第８の発明に係る映像信号処理装置は、第１〜第７のいずれかの発明に係る映像信号処理装置の構成において、画面上で圧縮される映像は字幕を含むものである。
【００６３】
この場合、伸張させた映像に字幕が含まれている場合でも画面上から字幕がはみ出すことを防止することができる。
【００６４】
（第９の発明）
第９の発明に係る映像信号処理方法は、映像信号に基づいて長方形の画面上に短軸方向の偏向により映像を表示する短軸偏向方式に従って画面上に映像を表示するとともに映像を短軸方向に伸張および圧縮するための映像信号処理方法であって、短軸偏向方式において短軸方向走査周期を規定する第１の同期信号および長軸方向走査周期を規定する第２の同期信号を発生するステップと、発生される第１の同期信号に応答して、電子ビームを短軸方向に偏向するための第１の偏向電流を発生するステップと、発生される第２の同期信号に応答して、電子ビームを長軸方向に偏向するための第２の偏向電流を発生するステップと、映像信号を記憶手段に記憶するステップと、記憶手段に記憶された映像信号を読み出すための読み出しクロック信号を発生するステップと、発生される読み出しクロック信号に応答して記憶手段から短軸偏向方式に従う映像信号を読み出すステップと、画面上に表示される映像を短軸方向に伸張するステップとを備え、読み出すステップは、画面上に表示される映像が短軸方向に圧縮されるように記憶手段から１以上の画素に対応する映像信号を飛ばして読み出すことにより画面上で短軸方向に表示される画素の数を減少させるものである。
【００６５】
第９の発明に係る映像信号処理方法においては、短軸偏向方式において短軸方向走査周期を規定する第１の同期信号および長軸方向走査周期を規定する第２の同期信号が発生される。第１の同期信号に応答して電子ビームを短軸方向に偏向するための第１の偏向電流が発生される。第２の同期信号に応答して電子ビームを長軸方向に偏向するための第２の偏向電流が発生される。また、記憶手段に映像信号が記憶される。読み出しクロック信号に応答して記憶手段から短軸偏向方式に従う映像信号が読み出される。
【００６６】
画面上に表示される映像が短軸方向に伸張される。また、記憶手段から１以上の画素に対応する映像信号が飛ばされて読み出される。それにより、画面上で短軸方向に表示される画素の数が減少し、画面上に表示される映像が短軸方向に圧縮される。
【００６７】
このように、偏向系における第１の偏向電流の波形を変形させることなく画面上で映像を短軸方向に容易に伸張および圧縮することができる。
【００６８】
また、画面上で映像を圧縮するためにラインメモリを用いる必要がないので、回路構成が複雑化せず、低コスト化が妨げられない。
【００６９】
（第１０の発明）
第１０の発明に係る映像信号処理方法は、第９の発明に係る映像信号処理方法の構成において、画面上に表示される映像が短縮方向に圧縮されるように記憶手段から読み出される映像信号に基づく補間処理を行うことにより画面上で短軸方向に表示される画素の数を減少させるステップをさらに備えたものである。
【００７０】
この場合、また、画素間引き処理により得られた複数の画素データを用いて画素補間処理により新たな画素データが生成されるので、画素データの数を減少させることによる画質の劣化が少ない。
【００７１】
特に、画素間引き処理および画素補間処理を組み合わせることにより、補間手段の構成を簡単にすることができる。それにより、低コストが図られる。
【００７２】
（第１１の発明）
第１１の発明に係る映像信号処理方法は、映像信号に基づいて長方形の画面上に短軸方向の偏向により映像を表示する短軸偏向方式に従って画面上に映像を表示するとともに映像を短軸方向に伸張および圧縮するための映像信号処理方法であって、短軸偏向方式において短軸方向走査周期を規定する第１の同期信号および長軸方向走査周期を規定する第２の同期信号を発生するステップと、発生される第１の同期信号に応答して、電子ビームを短軸方向に偏向するための第１の偏向電流を発生するステップと、発生される第２の同期信号に応答して、電子ビームを長軸方向に偏向するための第２の偏向電流を発生するステップと、映像信号を記憶手段に記憶するステップと、記憶手段に記憶された映像信号を読み出すための読み出しクロック信号を発生するステップと、発生される読み出しクロック信号に応答して記憶手段から短軸偏向方式に従う映像信号を読み出すステップと、画面上に表示される映像を短軸方向に伸張するステップと、画面上に表示される映像が短軸方向に圧縮されるように記憶手段から読み出される映像信号に基づく補間処理を行うことにより画面上で短軸方向に表示される画素の数を減少させるステップとを備えたものである。
【００７３】
本発明に係る映像信号処理方法においては、短軸偏向方式において短軸方向走査周期を規定する第１の同期信号および長軸方向走査周期を規定する第２の同期信号が発生される。第１の同期信号に応答して電子ビームを短軸方向に偏向するための第１の偏向電流が発生される。第２の同期信号に応答して電子ビームを長軸方向に偏向するための第２の偏向電流が発生される。また、記憶手段に映像信号が記憶される。読み出しクロック信号に応答して記憶手段から短軸偏向方式に従う映像信号が読み出される。
【００７４】
画面上に表示される映像が短軸方向に伸張される。また、記憶手段から読み出される映像信号に基づく補間処理が行われる。それにより、画面上で短軸方向に表示される画素の数が減少し、画面上に表示される映像が短軸方向に圧縮される。
【００７５】
このように、偏向系における第１の偏向電流の波形を変形させることなく画面上で映像を短軸方向に容易に伸張および圧縮することができる。
【００７６】
また、画面上で映像を圧縮するためにラインメモリを用いる必要がないので、回路構成が複雑化せず、低コスト化が妨げられない。
【００７７】
【発明の実施の形態】
以下、本発明の実施の形態における映像表示装置について図面を用いて詳細に説明する。以下の実施の形態では、画面が横長であるものとして説明を行う。この場合、画面の短軸方向は縦方向であり、長軸方向は横方向である。
【００７８】
（１）第１の実施の形態
図１は本発明の第１の実施の形態に係る映像表示装置の構成を示すブロック図である。
【００７９】
図１の映像表示装置は、映像信号処理回路１、色信号再生回路２、同期信号分離回路３、同期信号変換回路４、字幕挿入モード切替回路５、垂直偏向回路６、水平偏向回路７、ＣＲＴ（陰極線管）８および位相シフト回路９を備える。ＣＲＴ８には、垂直偏向ヨークＬＶおよび水平偏向ヨークＬＨが取りつけられている。
【００８０】
映像信号処理回路１は、横偏向方式の映像信号ＶＤＨを縦偏向方式の映像信号ＶＤＶに変換して出力する。なお、映像信号処理回路１の構成および動作は後述する。色信号再生回路２は、映像信号処理回路１から出力される映像信号ＶＤＶから輝度信号および色差信号を分離し、輝度信号および色差信号から色信号を再生し、ＣＲＴ８に表示信号Ｃとして与える。それにより、ＣＲＴ８の画面上に映像が表示される。
【００８１】
同期信号分離回路３は、横偏向方式の映像信号ＶＤＨから横偏向方式の水平同期信号Ｈ１および垂直同期信号Ｖ１を分離し、映像信号処理回路１および同期信号変換回路４に与える。同期信号変換回路４は、横偏向方式の水平同期信号Ｈ１および垂直同期信号Ｖ１を縦偏向方式の垂直同期信号Ｖ２および水平同期信号Ｈ２に変換する。
【００８２】
縦偏向方式の垂直同期信号Ｖ２は映像信号処理回路１および位相シフト回路９に与えられる。また、縦偏向方式の水平同期信号Ｈ２は映像信号処理回路１および水平偏向回路７に与えられる。
【００８３】
字幕挿入モード切替回路５は、映像信号ＶＤＨに基づいて字幕挿入モードと通常モードとを切り替えるためのモード切り替え信号ＫＴを出力する。ここで、通常モードとは、通常の映像をＣＲＴ８の画面全体に表示するモードをいい、字幕挿入モードとは、図２６に示した字幕領域を有するレターボックス形式の映像を圧縮および伸張処理によりＣＲＴ８の画面全体に表示するモードをいう。モード切り替え信号ＫＴは、映像信号処理回路１および位相シフト回路９に与えられる。
【００８４】
位相シフト回路９は、モード切り替え信号ＫＴに基づいて垂直同期信号Ｖ２を垂直同期信号Ｖ２２に変換し、垂直偏向回路６および水平偏向回路７に与える。この場合、位相シフト回路９は、通常モード時には、垂直同期信号Ｖ２をそのまま垂直同期信号Ｖ２２として出力し、字幕挿入モード時には、垂直同期信号Ｖ２の位相をシフトすることにより得られる垂直同期信号Ｖ２２を出力する。
【００８５】
垂直偏向回路６は、垂直同期信号Ｖ２２に同期してＣＲＴ８において電子ビームを縦方向（垂直方向）に偏向するために鋸歯状の垂直偏向電流ＩＶ２を垂直偏向コイルＬＶに供給する。
【００８６】
水平偏向回路７は、垂直同期信号Ｖ２２および水平同期信号Ｈ２に同期してＣＲＴ８において電子ビームを横方向（水平方向）に偏向するための鋸歯状の水平偏向電流ＩＨ２を水平偏向コイルＬＨに供給する。
【００８７】
図２は図１の水平偏向回路７の構成を示す回路図である。図３は図１の垂直偏向回路６の構成を示す回路図である。図４は縦偏向方式における同期信号および偏向電流を示す波形図である。
【００８８】
図４の（ａ）は縦偏向方式の水平同期信号Ｈ２を示し、（ｂ）は縦偏向方式の水平偏向電流ＩＨ２を示し、（ｃ）は縦偏向方式の垂直同期信号Ｖ２を示し、（ｄ）は縦偏向方式の第２の垂直同期信号Ｖ２２を示し、（ｅ）は縦偏向方式の垂直偏向電流ＩＶ２を示す。
【００８９】
水平同期信号Ｈ２の周期を水平走査周期Ｈ’とし、垂直同期信号Ｖ２および垂直同期信号Ｖ２２の周期を垂直走査周期Ｖ’とする。後述するように、垂直同期信号Ｖ２２の位相は、通常モード時には垂直同期信号Ｖ２の位相と一致し、字幕挿入モード時には垂直同期信号Ｖ２の位相からシフトしている。
【００９０】
図２の水平偏向回路は、水平鋸歯状波形発生回路７１、増幅回路７２、帰還回路７３、水平偏向ヨークＬＨおよび抵抗７４を含む。
【００９１】
水平鋸歯状波形発生回路７１には垂直同期信号Ｖ２２および水平同期信号Ｈ２が与えられる。水平鋸歯状波形発生回路７１は、垂直同期信号Ｖ２２および水平同期信号Ｈ２に同期して水平走査周期Ｈ’を有する鋸歯状波形（鋸歯状電圧）を発生し、増幅回路７２の一方の入力端子に与える。増幅回路７２は、鋸歯状波形に基づいて水平偏向電流ＩＨ２を水平偏向ヨークＬＨに供給する。水平偏向ヨークＬＨと抵抗７４との接続点の電圧は帰還回路７３により増幅回路７２の他方の入力端子に帰還される。このようにして、水平偏向ヨークＬＨから鋸歯状の水平偏向磁界が発生され、電子ビームが画面の水平方向に偏向される。
【００９２】
図３の垂直偏向回路６は、パルス発生回路６１、垂直出力トランジスタ６２、チョークコイル６３、ダンパーダイオード６４、共振容量６５、垂直偏向ヨークＬＶおよびＳ字補正容量６６を含む。
【００９３】
チョークコイル６３は、電源電圧を受ける電源端子６８とノードＮ１との間に接続されている。垂直出力トランジスタ６２のコレクタはノードＮ１に接続され、エミッタは接地端子に接続されている。ダンパーダイオード６４のカソードはノードＮ１に接続され、アノードは接地端子に接続されている。共振容量６５はノードＮ１と接地端子との間に接続されている。垂直偏向ヨークＬＶおよびＳ字補正容量６６はノードＮ１と接地端子との間に直列に接続されている。
【００９４】
パルス発生回路６１は、垂直同期信号Ｖ２２に同期する垂直パルス信号ＶＰを垂直出力トランジスタ６２のベースに与える。垂直出力トランジスタ６２は、垂直パルス信号ＶＰに応答してスイッチング動作を行う。垂直出力トランジスタ６２のスイッチング動作とダンパーダイオード６４および共振容量６５の働きとにより垂直走査周期Ｖ’を有する垂直偏向電流ＩＶ２が垂直偏向ヨークＬＶに供給される。その結果、垂直偏向ヨークＬＶから鋸歯状の垂直偏向磁界が発生され、電子ビームが画面の垂直方向に偏向される。
【００９５】
図５は図１の映像信号処理回路１の構成の一例を示すブロック図である。
図５の映像信号処理回路１は、Ａ／Ｄ（アナログ・デジタル）コンバータ１１、メモリ１２、Ｄ／Ａ（デジタル・アナログ）コンバータ１３、書き込みアドレス操作回路１４、読み出しアドレス操作回路１５ａ、書き込み制御回路１６、読み出し制御回路１７ａおよびリセットパルス発生回路１８を含む。
【００９６】
Ａ／Ｄ（アナログ・デジタル）コンバータ１１には、アナログ信号である横偏向方式の映像信号ＶＤＨが与えられる。書き込み制御回路１６は、横偏向方式の水平同期信号Ｈ１に応答して書き込みクロック信号ＷＣＫ２を発生する。書き込みクロック信号ＷＣＫ２は、Ａ／Ｄ（アナログ／デジタル）コンバータ１１、書き込みアドレス操作回路１４およびメモリ１２に与えられる。
【００９７】
読み出し制御回路１７ａは、垂直同期信号Ｖ２およびモード切り替え信号ＫＴに応答して読み出しクロック信号ＲＣＫ２を発生する。読み出しクロック信号ＲＣＫ２は、メモリ１２、Ｄ／Ａ（デジタル／アナログ）コンバータ１３および読み出しアドレス操作回路１５ａに与えられる。
【００９８】
以下、読み出し制御回路１７ａにより発生される読み出しクロック信号ＲＣＫ２の周波数を読み出しクロック周波数と呼ぶ。
【００９９】
リセットパルス発生回路１８は、垂直同期信号Ｖ１に応答して書き込みリセットパルス信号ＷＲＳおよび読み出しリセットパルス信号ＲＲＳを発生し、書き込みアドレス操作回路１４および読み出しアドレス操作回路１５ａにそれぞれ与える。
【０１００】
書き込みアドレス操作回路１４は、書き込みリセットパルス信号ＷＲＳに応答してリセットされ、書き込みクロック信号ＷＣＫ２に同期して書き込み用アドレス信号ＷＡＤをメモリ１２に順次与える。
【０１０１】
読み出しアドレス操作回路１５ａは、読み出しリセットパルス信号ＲＲＳに応答してリセットされ、読み出しクロック信号ＲＣＫ２に同期して読み出し用アドレス信号ＲＡＤをメモリ１２に順次与える。この読み出しアドレス操作回路１５ａは、モード切替信号ＫＴに基づいて、通常モード時にはアドレス信号ＲＡＤの値を連続的に変化させ、字幕挿入モード時には後述する画素間引き処理が行われるようにアドレス信号ＲＡＤを間欠的に変化させる。
【０１０２】
Ａ／Ｄコンバータ１１は、書き込みクロック信号ＷＣＫ２に同期してアナログ信号である縦偏向方式の映像信号ＶＤＨをデジタルの映像信号に変換し、デジタルの映像信号をメモリ１２に与える。メモリ１２においては、書き込みクロック信号ＷＣＫ２に応答してＡ／Ｄコンバータ１１から出力される映像信号が画素データとして書き込み用アドレス信号ＷＡＤにより指定されるアドレスに順次書き込まれる。また、メモリ１２においては、読み出しクロック信号ＲＣＫ２に応答して読み出し用アドレス信号ＲＡＤにより指定されるアドレスから画素データがデジタルの映像信号として順次読み出される。メモリ１２における画素データの書き込み順序および読み出し順序については後述する。
【０１０３】
Ｄ／Ａコンバータ１３は、読み出しクロック信号ＲＣＫ２に同期してメモリ１２から読み出されるデジタルの映像信号をアナログの映像信号ＶＤＶに変換する。
【０１０４】
後述するように、字幕挿入モード時には、読み出しクロック信号ＲＣＫ２の周波数の低減により映像の伸張が行われ、画素間引き処理により映像の圧縮が行われる。
【０１０５】
ここで、メモリ１２における画素データの書き込み順序および読み出し順序について説明する。
【０１０６】
図６（ａ）はメモリ１２における画素データの書き込み順序を説明するための模式図、図６（ｂ）はメモリ１２における画素データの読み出し順序を説明するための模式図である。図６において、ｍは画面の垂直方向の画素数すなわち横偏向方式における走査線数に相当し、ｋは画面の水平方向の画素数すなわち縦偏向方式における走査線数に相当する。
【０１０７】
図６（ａ）に示すように、書き込み時には、メモリ１２に矢印Ｘで示される方向に順に画素データが書き込まれる。まず、アドレスａ１１〜ａ１ｋに順に画素データが書き込まれ、次に、アドレスａ２１〜ａ２ｋに順に画素データが書き込まれ、さらに、アドレスａ３１〜ａ３ｋに順に画素データが書き込まれ、最後に、アドレスａｍ１〜ａｍｋに順に画素データが書き込まれる。
【０１０８】
図６（ｂ）に示すように、読み出し時には、メモリ１２から矢印Ｙで示される方向に順に画素データが読み出される。まず、アドレスａ１１〜ａｍ１から順に画素データが読み出され、次に、アドレスａ１２〜ａｍ２から順に画素データが読み出され、さらに、アドレスａ１３〜ａｍ３から順に画素データが読み出され、最後に、アドレスａ１ｋ〜ａｍｋに順に画素データが読み出される。
【０１０９】
このようにして、メモリ１２を用いて横偏向方式の映像信号が縦偏向方式の映像信号に変換される。
【０１１０】
なお、メモリ１２は、それぞれ１フレーム分の記憶容量を有する２つのメモリ領域を有し、一方のメモリ領域に画素データの書き込みが行われている間に他方のメモリ領域から画素データの読み出しが行われ、一方のメモリ領域から画素データの読み出しが行われている間に他方のメモリ領域に画素データの書き込みが行われる。
【０１１１】
次に、本実施の形態の映像表示装置における字幕挿入モード時の映像の伸張および圧縮処理について説明する。本実施の形態では、読み出しクロック周波数の低減により映像の伸張処理を行い、画素間引き処理により映像の圧縮処理を行う。
【０１１２】
図７は読み出しクロック周波数の低減による映像の伸張処理および画素間引き処理による映像の圧縮処理の原理を説明するための図であり、（ａ）は通常モード時の映像における画素を示し、（ｂ）は伸張処理された映像における画素を示し、（ｃ）は画素間引き処理により部分的に圧縮された映像における画素を示し、（ｄ）は画面の垂直方向にシフトされた映像における画素を示す。なお、図７（ａ）〜（ｄ）の各々において、垂直方向の１走査線上の画素が丸印で表される。
【０１１３】
図７（ａ）において、画面の垂直方向の１走査線上に第１番目〜第ｎ＋８番目の画素が表示されている。ここで、ｎは正の整数である。
【０１１４】
字幕挿入モード時には、読み出しクロック周波数が通常モード時の読み出しクロック周波数よりも低く設定される。この場合、図７（ｂ）に示すように、画素の間隔が大きくなり、第１番目〜第ｎ＋８番目の画素からなる映像が垂直方向に伸張される。
【０１１５】
また、１垂直走査周期Ｖ’の終了部分で画素間引き処理が行われる。具体的には、図５のメモリ１２から１つおきのアドレスまたは複数個おきのアドレスを飛ばして画素データが読み出される。図７（ｃ）の例では、メモリ１２から第ｎ＋１番目の画素データ、第ｎ＋３番目の画素データ、第ｎ＋５番目の画素データおよび第ｎ＋７番目の画素データを飛ばして第ｎ＋２番目の画素データ、第ｎ＋４番目の画素データ、第ｎ＋６番目の画素データおよび第ｎ＋８番目の画素データが読み出され、画面上に第ｎ＋２番目、第ｎ＋４番目、第ｎ＋６番目および第ｎ＋８番目の画素が表示される。それにより、画面の下部において画素の数が低減され、映像が圧縮される。
【０１１６】
さらに、図７（ｄ）に示すように、後述する垂直偏向電流の位相のシフトにより画面上で映像が垂直方向にシフトされる。
【０１１７】
このように、読み出しクロック周波数の低減および画素間引き処理により映像を垂直方向に伸張および圧縮することができる。
【０１１８】
図８は字幕挿入モード時の読み出しクロック周波数の低減による画面上での映像の伸張および画素間引き処理による画面上での映像の圧縮を説明するための図であり、（ａ）は伸張および圧縮処理前の状態を示し、（ｂ）は伸張処理後の状態を示し、（ｃ）は圧縮処理後の状態を示す。また、図９は字幕挿入モード時の垂直偏向電流の位相のシフトによる画面上での映像の位置合わせを説明するための図であり、（ａ）は映像の位置合わせ前の状態を示し、（ｂ）は映像の位置合わせ後の状態を示す。なお、図９（ａ）の状態は図８（ｃ）の状態に対応する。図８および図９では、レターボックス形式の映像が表示される場合を示している。
【０１１９】
図８（ａ）に示すように、読み出しクロック周波数が通常モード時の読み出しクロック周波数となっている場合には、画面８００の上部および下部に空白部が形成され、中央部に映像領域α２が形成され、下部の空白部に字幕領域β２が形成されている。
【０１２０】
図８（ｂ）に示すように、読み出しクロック周波数が通常モード時の読み出しクロック周波数よりも低くなると、映像領域α２および字幕領域β２を含む映像の全体が垂直方向に伸張される。それにより、映像領域α２の下部および字幕領域β２が画面の下端よりはみ出してしまう。
【０１２１】
そこで、図８（ｃ）に示すように、画素間引き処理により映像領域α２の下部および字幕領域β２の画素の数が低減されると、映像領域α２の下部および字幕領域β２が圧縮される。しかしながら、字幕領域β２は画面の下端よりはみ出している。このときの垂直偏向電流が図９（ａ）に示される。
【０１２２】
そこで、図９（ｂ）に示すように、垂直偏向電流の位相をΔＴだけシフトさせることにより、映像を画面８００に対して垂直方向に相対的に移動させ、映像領域α２の上端を画面８００の上端に合わせるとともに、字幕領域β２の下端を画面８００の下端に合わせることができる。
【０１２３】
図１０は図５の映像信号処理回路１に含まれる書き込み制御回路１６の構成の一例を示すブロック図である。
【０１２４】
書き込み制御回路１６は、位相比較器１６１、ＬＰＦ（ローパスフィルタ）１６２、電圧制御型発振器１６３および分周器１６４を含む。
【０１２５】
書き込み制御回路１６の位相比較器１６１には、横偏向方式の水平同期信号Ｈ１が与えられる。位相比較器１６１は、水平同期信号Ｈ１と分周器１６４の出力信号との位相差に応じた電圧をＬＰＦ１６２を介して制御電圧として電圧制御型発振器１６３に与える。電圧制御型発振器１６３は、制御電圧に応じた周波数を有する出力信号を書き込みクロック信号ＷＣＫ２として分周器１６４に与えるとともに、図５のＡ／Ｄコンバータ１１、メモリ１２および書き込みアドレス操作回路１４に与える。分周器１６４は、書き込みクロック信号ＷＣＫ２を分周し、出力信号を水平同期信号Ｈ１との位相比較信号として位相比較器１６１に与える。
【０１２６】
図１１は図５の映像信号処理回路１に含まれる読み出し制御回路１７ａの構成の一例を示すブロック図である。
【０１２７】
読み出し制御回路１７ａは、位相比較器１７１、ＬＰＦ（ローパスフィルタ）１７２、電圧制御型発振器１７３および分周器１７４を含む。
【０１２８】
読み出し制御回路１７ａの位相比較器１７１には、縦偏向方式の垂直同期信号Ｖ２が与えられる。位相比較器１７１は、垂直同期信号Ｖ２と分周器１７４の出力信号との位相差に応じた電圧をＬＰＦ１７２を介して制御電圧として電圧制御型発振器１７３に与える。電圧制御型発振器１７３は、制御電圧に応じた周波数を有する出力信号を書き込みクロック信号ＲＣＫ２として分周器１７４に与えるとともに、図５のメモリ１２、Ｄ／Ａコンバータ１３および読み出しアドレス操作回路１５ａに与える。分周器１７４は、読み出しクロック信号ＲＣＫ２を分周し、出力信号を垂直同期信号Ｖ２との位相比較信号として位相比較器１７１に与える。
【０１２９】
分周器１７４は、モード切り替え信号に応じて分周比を切り替える。分周器１７４は、モード切り替え信号ＫＴが通常モードを示す場合に読み出しクロック信号ＲＣＫ２の周波数が第１の周波数になるように読み出しクロック信号ＲＣＫ２を第１の分周比で分周し、モード切り替え信号ＫＴが字幕挿入モードを示す場合に読み出しクロック信号ＲＣＫ２の周波数が第１の周波数よりも低い第２の周波数になるように読み出しクロック信号ＲＣＫ２を第２の分周比で分周する。
【０１３０】
上記のように、本実施の形態の映像表示装置においては、字幕挿入モード時に読み出しクロック周波数を低減することにより画面上に表示する映像を伸張するとともに、画素間引き処理を行うことにより画面上に表示する映像の下部を圧縮することができる。この場合、画面上で映像を圧縮するためにラインメモリを用いる必要がないので、回路構成が簡単となり、低コスト化が図られる。
【０１３１】
本実施の形態においては、同期信号変換回路４が同期信号発生手段に相当し、垂直偏向回路６が第１の偏向手段に相当し、水平偏向回路７が第２の偏向手段に相当し、メモリ１２が記憶手段に相当し、読み出し制御回路１７ａが読み出しクロック発生手段および映像伸張手段に相当し、読み出しアドレス操作回路１５が読み出し手段に相当する。また、分周器１７４が読み出しクロック変更手段に相当し、位相シフト回路９が位相シフト手段に相当する。
【０１３２】
（２）第２の実施の形態
図１２は本発明の第２の実施の形態に係る映像表示装置における映像信号処理回路の構成を示すブロック図である。なお、本実施の形態の映像表示装置の他の部分の構成は、第１の実施の形態の映像表示装置と同様である。
【０１３３】
図１２の映像信号処理回路においては、図５の読み出しアドレス操作回路１５ａの代わりに読み出しアドレス操作回路１５が設けられ、画素補間回路１９がさらに設けられている。
【０１３４】
読み出しアドレス操作回路１５は、読み出しリセットパルス信号ＲＲＳに応答してリセットされ、読み出しクロック信号ＲＣＫ２に同期して読み出し用アドレス信号ＲＡＤをメモリ１２に順次与える。この読み出しアドレス操作回路１５は、アドレス信号ＲＡＤの値を連続的に変化させる。
【０１３５】
画素補間回路１９は、メモリ１２から読み出された画素データに画素補間処理を行うことにより垂直方向の走査線上の画素の数を減少させる。それにより、映像の圧縮処理が行われる。画素補間回路１９の詳細な構成については後述する。
【０１３６】
図１３は図１２の画素補間回路１９の構成の一例を示すブロック図である。
図１３の画素補間回路１９は、複数のタップ１９１〜１９４、複数の乗算器１９５〜１９９、補間係数発生回路２００および加算器２０１を備える。各タップ１９１〜１９４はラッチ回路により構成される。
【０１３７】
図１３の例では、タップ１９１に第Ｎ−２番目の画素データＤＮ−２が入力され、タップ１９１〜１９４から第Ｎ−１番目〜第Ｎ＋２番目の画素データＤＮ−１〜ＤＮ＋２がそれぞれ出力される。ここで、Ｎは任意の正の整数である。補間係数発生回路２００は、読み出しクロック信号ＲＣＫ２、縦偏向方式の垂直同期信号Ｖ２およびモード切り替え信号ＫＴに基づいて複数の補間係数ＫＮ−２〜ＫＮ＋２を発生する。乗算器１９５〜１９９は、第Ｎ−２番目〜第Ｎ＋２番目の画素データＤＮ−２〜ＤＮ＋２と補間係数ＫＮ−２〜ＫＮ＋２とをそれぞれ乗算し、乗算結果を加算器２０１に与える。
【０１３８】
加算器２０１は、複数の乗算器１９５〜１９９から与えられる乗算結果を加算する。これにより、複数の画素データＤＮ−２〜ＤＮ＋２から新たな１つの画素データＤ０を生成することができる。
【０１３９】
通常モード時の映像および字幕挿入モード時の映像領域の上部および中央部では、補間係数ＤＮ−２，ＤＮ−１，ＤＮ＋１，ＤＮ＋２が０に設定され、補間係数が１に設定される。それにより、加算器２０１から画素データＤＯとして第Ｎ番目の画素データＤＮが出力される。また、字幕挿入モード時の映像領域の下部および字幕領域では、補間係数ＤＮ−２〜ＤＮ＋２が任意の値に設定される。それにより、複数の画素データＤＮ−２〜ＤＮ＋２のうち任意の画素データの補間処理により新たな画素データＤＯが生成される。
【０１４０】
したがって、映像領域の下部および字幕領域を形成するための画素データの数を減少させ、映像領域の下部および字幕領域を画面上で垂直方向に圧縮することができる。
【０１４１】
図１４は読み出しクロック周波数の低減による映像の伸張処理および画素補間処理による映像の圧縮処理の原理を説明するための図であり、（ａ）は通常モード時の映像における画素を示し、（ｂ）は伸張処理された映像における画素を示し、（ｃ）は画素補間処理により部分的に圧縮された映像における画素を示し、（ｄ）は画面の垂直方向にシフトされた映像における画素を示す。なお、図１４（ａ）〜（ｄ）の各々において、垂直方向の１走査線上の画素が丸印で表される。
【０１４２】
図１４（ａ）において、画面の垂直方向の１走査線上に第１番目〜第ｎ＋８番目の画素が表示されている。ここで、ｎは正の整数である。
【０１４３】
字幕挿入モード時には、読み出しクロック周波数が通常モード時の読み出しクロック周波数よりも低く設定される。この場合、図１４（ｂ）に示すように、画素の間隔が大きくなり、第１番目〜第ｎ＋８番目の画素からなる映像が垂直方向に伸張される。
【０１４４】
また、１垂直走査周期Ｖ’の終了部分で画素補間処理が行われる。具体的には、図１２のメモリ１２から読み出された複数の画素データを用いて新たな画素データが生成されることにより画素データの数が低減される。図１４（ｃ）の例では、メモリ１２から読み出された第ｎ＋１番目〜第ｎ＋８番目の画素データから５つの画素データが生成され、画面に表示される。例えば、第ｎ＋１．６番目に相当する画像データ、第ｎ＋３．２番目に相当する画像データ、第ｎ＋４．８番目に相当する画像データ、第ｎ＋６．４番目に相当する画像データおよび第ｎ＋８．０番目に相当する画像データが生成される。それにより、画面の下部において画素の数が低減され、映像が圧縮される。
【０１４５】
さらに、図１４（ｄ）に示すように、上記の垂直偏向電流の位相のシフトにより画面上で映像が垂直方向にシフトされる。
【０１４６】
このように、読み出しクロック周波数の低減および画素間引き処理により映像を垂直方向に伸張および圧縮することができる。
【０１４７】
上記のように、本実施の形態の映像表示装置においては、字幕挿入モード時に読み出しクロック周波数を低減することにより画面上に表示する映像を伸張するとともに、画素補間処理を行うことにより画面上に表示する映像の下部を圧縮することができる。この場合、画素補間処理により複数の画素データを用いて新たな画素データが生成されるので、画素データの数を減少させることによる画質の劣化が少ない。
【０１４８】
また、タップ１９１〜１９４は、それぞれ画素データを１画素分シフトさせるラッチ回路からなるので、複数のラインメモリを用いる場合と異なって画素補間回路１９を低コストで構成することができる。
【０１４９】
本実施の形態では、画素補間回路１９が補間手段に相当する。
（３）第３の実施の形態
図１５は本発明の第３の実施の形態に係る映像表示装置における映像信号処理回路の構成を示すブロック図である。なお、本実施の形態の映像表示装置の他の部分の構成は、第１の実施の形態の映像表示装置と同様である。
【０１５０】
図１５の映像信号処理回路１においては、図５の映像信号処理回路１の構成に図１２の映像信号処理回路１に含まれる画素補間回路１９がさらに設けられている。
【０１５１】
図１６は読み出しクロック周波数の低減による映像の伸張処理ならびに画素間引き処理および画素補間処理による映像の圧縮処理の原理を説明するための図であり、（ａ）は通常モード時の映像における画素を示し、（ｂ）は伸張処理された映像における画素を示し、（ｃ）は画素間引き処理により部分的に圧縮された映像における画素を示し、（ｄ）は画素補間処理により部分的に圧縮された映像における画素を示し、（ｅ）は画面の垂直方向にシフトされた映像における画素を示す。なお、図１６（ａ）〜（ｅ）の各々において、垂直方向の１走査線上の画素が丸印で表される。
【０１５２】
図１６（ａ）において、画面の垂直方向の１走査線上に第１番目〜第ｎ＋８番目の画素が表示されている。ここで、ｎは正の整数である。
【０１５３】
字幕挿入モード時には、読み出しクロック周波数が通常モード時の読み出しクロック周波数よりも低く設定される。この場合、図１６（ｂ）に示すように、画素の間隔が大きくなり、第１番目〜第ｎ＋８番目の画素からなる映像が垂直方向に伸張される。
【０１５４】
また、１垂直走査周期Ｖ’の終了部分で画素間引き処理が行われる。具体的には、図１５のメモリ１２から１つおきのアドレスまたは複数個おきのアドレスを飛ばして画素データが読み出される。図１６（ｃ）の例では、メモリ１２から第ｎ＋３番目の画素データおよび第ｎ＋５番目の画素データを飛ばして第ｎ＋１番目の画素データ、第ｎ＋２番目の画素データ、第ｎ＋４番目の画素データ、第ｎ＋５番目の画素データ、第ｎ＋７番目の画素データおよび第ｎ＋８番目の画素データが読み出される。それにより、メモリ１２から読み出される画素データの数が低減される。
【０１５５】
また、１垂直走査周期Ｖ’の終了部分で画素補間処理が行われる。具体的には、図１５のメモリ１２から読み出された複数の画素データを用いて新たな画素データが生成されることにより画素データの数が低減される。図１６（ｃ）の例では、メモリ１２から読み出された第ｎ＋１番目の画素データ、第ｎ＋２番目の画素データ、第ｎ＋４番目の画素データ、第ｎ＋５番目の画素データ、第ｎ＋７番目の画素データおよび第ｎ＋８番目の画素データから３つの画素データが生成され、画面に表示される。例えば、第ｎ＋２．６番目に相当する画像データ、第ｎ＋５．２番目に相当する画像データおよび第ｎ＋７．８番目に相当する画像データが生成される。それにより、画面の下部において画素の数が低減され、映像が圧縮される。
【０１５６】
さらに、図１６（ｅ）に示すように、上記の垂直偏向電流の位相のシフトにより画面上で映像が垂直方向にシフトされる。
【０１５７】
このように、読み出しクロック周波数の低減ならびに画素間引き処理および画素補間処理により映像を垂直方向に伸張および圧縮することができる。
【０１５８】
上記のように、本実施の形態の映像信号処理装置においては、字幕挿入モード時に読み出しクロック周波数を低減することにより画面上に表示する映像を伸張するとともに、画素間引き処理および画素補間処理を行うことにより画面上に表示する映像の下部を圧縮することができる。この場合、画面上で映像を圧縮するためにラインメモリを用いる必要がないので、回路構成が簡単となり、低コスト化が図られる。
【０１５９】
また、画素間引き処理により得られた複数の画素データを用いて画素補間処理により新たな画素データが生成されるので、画素データの数を減少させることによる画質の劣化が少ない。
【０１６０】
特に、画素間引き処理および画素補間処理を組み合わせることにより、画素補間回路１９のタップ数を低減することができる。それにより、低コスト化を図ることができる。
【０１６１】
（４）第４の実施の形態
図１７は本発明の第４の実施の形態に係る映像表示装置の構成を示すブロック図である。
【０１６２】
図１７の映像表示装置が図１の映像表示装置と異なるのは、図１の位相シフト回路９が設けられておらず、電圧切替回路１０がさらに設けられている点である。
【０１６３】
また、図１７の映像信号処理回路１は、次の点を除いて図５、図１２または図１５の映像信号処理回路１と同様の構成を有する。
【０１６４】
すなわち、本実施の形態における映像信号処理回路１では、読み出し制御回路１７ａに含まれる図１１の分周器１７４にはモード切り替え信号ＫＴが与えられず、分周器１７４の分周比は通常モード時および字幕挿入モード時で同じに設定されている。
【０１６５】
同期信号変換回路４から出力される縦偏向方式の垂直同期信号Ｖ２は映像信号処理回路１、垂直偏向回路６および水平偏向回路７に与えられる。字幕挿入モード切替回路５から出力されるモード切り替え信号ＫＴは、映像信号処理回路１および電圧切替回路１０に与えられる。
【０１６６】
電圧切替回路１０は、モード切り替え信号ＫＴに基づいて垂直偏向回路６に与える電源電圧を切り替える。すなわち、電圧切替回路１０は、字幕挿入モード時には、図３の垂直偏向回路６の電源端子に通常モード時の電源電圧よりも高い電源電圧を与える。それにより、字幕挿入モード時には、垂直偏向回路６により垂直偏向コイルＬＶに供給される垂直偏向電流ＩＶ２の振幅が通常モード時の垂直偏向電流ＩＶ２の振幅よりも大きくなり、字幕挿入モード時の垂直偏向磁界の振幅が通常モード時の垂直偏向磁界の振幅よりも大きくなる。したがって、字幕挿入モード時の垂直方向のビームの振れ角が通常モード時に比べて大きくなり、画面上に表示される映像が垂直方向に伸張される。
【０１６７】
図１８は図１７の映像表示装置における同期信号および偏向電流を示す図である。図１８の（ａ）は縦偏向方式の水平同期信号Ｈ２を示し、（ｂ）は縦偏向方式の水平偏向電流ＩＨ２を示し、（ｃ）は縦偏向方式の垂直同期信号Ｖ２を示し、（ｄ）は縦偏向方式の垂直偏向電流ＩＶ２を示す。なお、通常モード時の垂直偏向電流ＩＶ２は実線で示され、字幕挿入モード時の垂直偏向電流ＩＶ２は破線で示される。
【０１６８】
図１８の（ａ）の縦偏向方式の水平同期信号Ｈ２および（ｂ）の縦偏向方式の水平偏向電流ＩＨ２は水平走査周期Ｈ’を有し、（ｃ）の縦偏向方式の垂直同期信号Ｖ２および（ｄ）の縦偏向方式の垂直偏向電流ＩＶ２は垂直走査周期Ｖ’を有する。
【０１６９】
図１８（ｄ）に破線で示すように、字幕挿入モード時の垂直偏向電流ＩＶ２の振幅は通常モード時の垂直偏向電流ＩＶ２の振幅に比べて大きくなる。
【０１７０】
次に、本実施の形態の映像表示装置における字幕挿入モード時の映像の伸張および圧縮処理について説明する。本例では、垂直偏向電流の振幅の増加により映像の伸張処理を行い、第１の実施の形態と同様に画素間引き処理により映像の圧縮処理を行う。なお、第２の実施の形態と同様に画素補間処理により映像の圧縮処理を行ってもよく、第３の実施の形態と同様に画素間引き処理および画素補間処理により映像の圧縮処理を行ってもよい。
【０１７１】
図１９は垂直偏向電流の振幅の増加による映像の伸張処理および画素間引き処理による映像の圧縮処理の原理を説明するための図であり、（ａ）は通常モード時の垂直偏向電流を示し、（ｂ）は通常モード時の映像における画素を示し、（ｃ）は字幕挿入モード時に振幅が増加された垂直偏向電流を示し、（ｄ）は伸張処理された映像における画素を示し、（ｅ）は画素間引き処理により部分的に圧縮された映像における画素を示す。なお、図１９（ｂ），（ｄ），（ｅ）の各々において、垂直方向の１走査線上の画素が丸印で表される。
【０１７２】
図１９（ｂ）において、画面の垂直方向の１走査線上に第１番目〜第ｎ＋８番目の画素が表示されている。ここで、ｎは正の整数である。
【０１７３】
字幕挿入モード時には、垂直偏向電流の振幅が通常モード時の垂直偏向電流の振幅よりも大きく設定される。この場合、図１９（ｄ）に示すように、画素の間隔が大きくなり、第１番目〜第ｎ＋８番目の画素からなる映像が垂直方向に伸張される。
【０１７４】
また、１垂直走査周期Ｖ’の終了部分で画素間引き処理が行われる。図１９（ｄ）の例では、メモリ１２から第ｎ＋１番目の画素データ、第ｎ＋３番目の画素データ、第ｎ＋５番目の画素データおよび第ｎ＋７番目の画素データを飛ばして第ｎ＋２番目の画素データ、第ｎ＋４番目の画素データ、第ｎ＋６番目の画素データおよび第ｎ＋８番目の画素データが読み出され、画面上に第ｎ＋２番目、第ｎ＋４番目、第ｎ＋６番目および第ｎ＋８番目の画素が表示される。それにより、画面の下部において画素の数が低減され、映像が圧縮される。
【０１７５】
このように、垂直偏向電流の振幅の増加および画素間引き処理により映像を垂直方向に伸張および圧縮することができる。
【０１７６】
次に、図１７の映像表示装置の通常モード時および字幕挿入モード時の動作について説明する。
【０１７７】
図２０の（ａ１）はレターボックス形式の映像を画面に表示した場合を示し、（ａ２）は（ａ１）のレターボックス形式の映像を表示する場合の垂直偏向電流を示し、（ａ３）は（ａ１）のレターボックス形式の映像を表示する場合の映像信号および字幕信号を示す。図２０の（ｂ１）はレターボックス形式の映像を垂直偏向電流の振幅の増加により伸張した場合を示し、（ｂ２）は（ｂ１）の映像の伸張処理を行うための垂直偏向電流を示し、（ｂ３）は（ｂ１）の伸張処理による映像信号および字幕信号を示す。図２０の（ｃ１）はレターボックス形式の映像の映像領域および字幕領域を圧縮処理により画面に表示した場合を示し、（ｃ２）は（ｃ１）のレターボックス形式の映像の映像領域および字幕領域を画面に表示する場合の垂直偏向電流を示し、（ｃ３）は（ｃ１）のレターボックス形式の映像を表示する場合の映像信号および字幕信号を示す。
【０１７８】
図２０の（ａ２）の垂直偏向電流により、（ａ１）に示すように、画面５００にレターボックス形式の映像が表示される。画面５００の中央部に（ａ３）の映像信号αＳ２による映像が表示される映像領域α２が形成され、画面５００の上部と下部とに空白領域が形成される。また、画面５００の下部の空白領域には、（ａ３）の字幕信号βＳ２による字幕が表示される字幕領域β２が形成される。
【０１７９】
図２０（ｂ２）に示すように、垂直偏向電流の振幅を増加させると、（ｂ１）に示すように、映像が垂直方向に伸張され、（ｂ３）の映像信号αＳ２による映像領域α２の上端が画面５００の上端に一致し、（ｂ３）の字幕信号βＳ２による字幕領域β２が画面５００からはみ出してしまう。
【０１８０】
そこで、上記のように、画素間引き処理により映像領域α２の下部および字幕領域β２を圧縮する。それにより、（ｃ１）に示すように、（ｃ３）の映像信号αＳ２による映像領域α１の上端が画面５００の上端に一致した状態で（ｂ３）の字幕信号βＳ２による字幕領域β２の下端が画面５００の下端に一致する。
【０１８１】
本実施の形態においては、垂直偏向回路６および電圧切替回路１０が映像伸張手段および振幅変更手段に相当する。
【０１８２】
【発明の効果】
本発明によれば、偏向系における第１の偏向電流の波形を変形させることなく画面上で映像を短軸方向に容易に伸張および圧縮することができる。
【０１８３】
また、画面上で映像を圧縮するためにラインメモリを用いる必要がないので、回路構成が複雑化せず、低コスト化が妨げられない。
【図面の簡単な説明】
【図１】本発明の第１の実施の形態に係る映像表示装置の構成を示すブロック図
【図２】図１の水平偏向回路の構成を示す回路図
【図３】図１の垂直偏向回路の構成を示す回路図
【図４】縦偏向方式における同期信号および偏向電流を示す波形図
【図５】図１の映像信号表示回路の構成の一例を示すブロック図
【図６】（ａ）はメモリにおける画素データの書き込み順序を説明するための模式図、（ｂ）はメモリにおける画素データの読み出し順序を説明するための模式図
【図７】読み出しクロック周波数の低減による映像の伸張処理および画素間引き処理による映像の圧縮処理の原理を説明するための図
【図８】字幕挿入モード時のクロック変調による画面上での映像の伸張および圧縮を説明するための図
【図９】字幕挿入モード時の垂直偏向電流の位相のシフトによる画面上での映像の位置合わせを説明するための図
【図１０】図５の映像信号処理回路に含まれる書き込み制御回路の構成の一例を示すブロック図
【図１１】図５の映像信号処理回路に含まれる読み出し制御回路の構成の一例を示すブロック図
【図１２】本発明の第２の実施の形態に係る映像表示装置における映像信号処理回路の構成を示すブロック図
【図１３】図１２の画素補間回路の構成の一例を示すブロック図
【図１４】読み出しクロック周波数の低減による映像の伸張処理および画素補間処理による映像の圧縮処理の原理を説明するための図
【図１５】本発明の第３の実施の形態に係る映像表示装置における映像信号処理回路の構成を示すブロック図
【図１６】読み出しクロック周波数の低減による映像の伸張処理ならびに画素間引き処理および画素補間処理による映像の圧縮処理の原理を説明するための図
【図１７】本発明の第４の実施の形態に係る映像表示装置の構成を示すブロック図
【図１８】図１７の映像表示装置における同期信号および偏向電流を示す図
【図１９】垂直偏向電流の振幅の増加による映像の伸張処理および画素間引き処理による映像の圧縮処理の原理を説明するための図
【図２０】図１７の映像表示装置の通常モード時および字幕挿入モード時の動作を説明するための図
【図２１】横偏向方式および縦偏向方式による走査線の形成を説明するための模式図
【図２２】縦偏向方式および横偏向方式による電子ビームのスポットの形状を示す模式図
【図２３】横偏向方式で用いられる水平偏向回路の構成を示す回路図
【図２４】横偏向方式で用いられる垂直偏向回路の構成を示す回路図
【図２５】横偏向方式における同期信号および偏向電流を示す波形図
【図２６】レターボックス形式の映像信号を用いた表示方法を説明するための図
【図２７】画素補間を用いた字幕挿入回路の一例を示すブロック図
【符号の説明】
１  映像信号処理回路
２  色信号再生回路
３  同期信号分離回路
４  同期信号変換回路
５  字幕挿入モード切替回路
６  垂直偏向回路
７  水平偏向回路
８  ＣＲＴ（陰極線管）
９  位相シフト回路
１０  電圧切替回路
１１  Ａ／Ｄ（アナログ・デジタル）コンバータ
１２  メモリ
１３，１７６  Ｄ／Ａ（デジタル・アナログ）コンバータ
１４  書き込みアドレス操作回路
１５，１５ａ  読み出しアドレス操作回路
１６  書き込み制御回路
１７，１７ａ  読み出し制御回路
１８  リセットパルス発生回路
１９  画素補間回路
α２  映像領域
１６１，１７１  位相比較器
１６２，１７２  ＬＰＦ（ローパスフィルタ）
１６３，１７３  電圧制御型発振器
１６４，１７４  分周器
１７５  加算器
１９１，１９２，１９３，１９４  タップ
１９５，１９６，１９７，１９８，１９９  乗算器
２００  補間係数発生回路
２０１  加算器
【図１】
2004279848.tif 000003
【図２】
2004279848.tif 000004
【図３】
2004279848.tif 000005
【図４】
2004279848.tif 000006
【図５】
2004279848.tif 000007
【図６】
2004279848.tif 000008
【図７】
2004279848.tif 000009
【図８】
2004279848.tif 000010
【図９】
2004279848.tif 000011
【図１０】
2004279848.tif 000012
【図１１】
2004279848.tif 000013
【図１２】
2004279848.tif 000014
【図１３】
2004279848.tif 000015
【図１４】
2004279848.tif 000016
【図１５】
2004279848.tif 000017
【図１６】
2004279848.tif 000018
【図１７】
2004279848.tif 000019
【図１８】
2004279848.tif 000020
【図１９】
2004279848.tif 000021
【図２０】
2004279848.tif 000022
【図２１】
2004279848.tif 000023
【図２２】
2004279848.tif 000024
【図２３】
2004279848.tif 000025
【図２４】
2004279848.tif 000026
【図２５】
2004279848.tif 000027
【図２６】
2004279848.tif 000028
【図２７】
2004279848.tif 000029